(57)【要約】【課題】熟練者でなくても容易に表皮の取り付けが可能であり、且つ低コスト化とリサイクル性の向上が可能なボード部材を提供する。【解決手段】ボード１０が表皮２０によって覆われたボード部材１である。ボード１０の裏面には、複数個の係止爪１１が設けられている。表皮２０の外周縁には袋状部２０ａが形成されており、当該袋状部２０ａの内部に棒状の係止部材２１が収容されている。そのうえで、係止部材２１を係止爪１１へ係合させることで表皮２０が係止される。なお、袋状部２０ａの各係止爪１１に臨む部位には、切欠２２が設けられている。【選択図】図１
2015105699.tif 000002
【特許請求の範囲】
【請求項１】
ボードの表面が表皮によって覆われたボード部材であって、
前記ボードの裏面に係止爪が設けられており、
前記表皮の外周縁には中空な袋状部が形成され、該袋状部の内部に係止部材が収容されており、
前記表皮の外周縁が、前記係止部材を前記係止爪へ係合させることで係止されていることを特徴とする、ボード部材。
【請求項２】
前記袋状部は、前記表皮の外周縁全体に亘って形成されており、
前記係止部材は、棒状部材であり、
前記係止爪は、前記ボードの裏面側外周縁部へ、該ボードの外周縁に沿って複数個並設されている、請求項１に記載のボード部材。
【請求項３】
前記係止爪と前記係止部材とが係合する部位には、前記袋状部に切欠が設けられている、請求項１または請求項２に記載のボード部材。
【発明の詳細な説明】
【技術分野】
【０００１】
本発明は、ボードの表面が表皮によって覆われたボード部材に関する。
【背景技術】
【０００２】
この種のボード部材として、例えば下記特許文献１がある。特許文献１のように、従来のボード部材は、表皮を接着やタッカー止めによりボードへ固定していた。
【先行技術文献】
【特許文献】
【０００３】
【特許文献１】特開２００１−１２０３８４号公報
【発明の概要】
【発明が解決しようとする課題】
【０００４】
しかしながら、表皮をボードへ接着するには、接着剤の塗布、表皮貼り付け、及び乾燥の工程を要し製造工程が煩雑であると共に、接着剤から臭気が発生するため換気設備が必要となり、生産設備にコストも要する。また、接着やタッカー止めの際に表皮へ皺が寄らないようにボードを覆うには熟練した作業が必要となり、人材育成にもコストが必要となる。さらに、表皮をボードへ接着していると、ボード部材を廃棄する際に表皮をボードから剥がしても表皮の一部が破れてボードに貼りついたまま残ることが多く、リサイクル性も悪かった。
【０００５】
そこで、本発明は上記課題を解決するものであって、熟練者でなくても容易に表皮の取り付けが可能であり、且つ低コスト化とリサイクル性の向上が可能なボード部材を提供することを目的とする。
【課題を解決するための手段】
【０００６】
そのための手段として、本発明は、ボードの表面が表皮によって覆われたボード部材であって、前記ボードの裏面に係止爪が設けられている。一方、前記表皮の外周縁には中空な袋状部が形成され、該袋状部の内部に係止部材が収容されている。そして、前記係止部材を前記係止爪へ係合させることで前記表皮の外周縁が係止されていることを特徴とする。
【０００７】
なお、前記袋状部を前記表皮の外周縁全体に亘って形成し、前記係止部材を棒状部材としたうえで、前記係止爪は、前記ボードの裏面側外周縁部へ、該ボードの外周縁に沿って複数個並設することが好ましい。
【０００８】
また、前記係止爪と前記係止部材とが係合する部位には、前記袋状部に切欠を設けておくことも好ましい。
【発明の効果】
【０００９】
本発明によれば、接着剤を使用せずに表皮をボードへ係止できるので、接着剤の塗布、乾燥等の工程が不要であり、生産ラインを短縮化してコスト削減を図ることができる。また、接着剤を使用していないことで換気設備が不要なので、生産設備の低コスト化も図ることもできる。しかも、表皮の外周縁へ配した係止部材をボードの係止爪へ係合するだけで、熟練者でなくても表皮に皺が寄ることがなく綺麗に配すことができ、人材育成面でのコスト削減を図ることもできる。さらに、接着剤を使用していないことで表皮をボードから確実に剥ぎ取ることができるので、リサイクル性も向上する。
【００１０】
表皮の外周縁全体に亘って形成した袋状部の内部へ棒状の係止部材を配し、且つ係止爪をボードの外周縁に沿って複数個並設していれば、表皮をボードへ確り固定できるのみならず、表皮へ四方から均等に張力が作用することで、皺が寄ることなく表皮をより綺麗に配すことができる。
【００１１】
また、係止爪と係止部材とが係合する部位に袋状部へ切欠を設けていれば、係止爪と係止部材とが直接係合できるので、表皮をボードへより確り固定することができる。
【図面の簡単な説明】
【００１２】
【図１】ボード部材の分解斜視図である。
【図２】ボード部材の背面図である。
【図３】図２のIII−III線断面図である。
【発明を実施するための形態】
【００１３】
以下、本発明の代表的な実施形態について説明する。本実施形態のボード部材１は、図１，２に示すように、板状のボード１０と、該ボード１０の表面を覆う表皮２０とを有する。このようなボード部材１は、例えば車両用シートのシートバックの背面に配されるシートバックボードや、インストルメントパネル等のオーナメントなど、自動車の内装用ボード部材として適用できる。
【００１４】
ボード１０は、ボード部材１のベースとなる部材であって、板状を呈している限り具体的な形状は特に限定されず、適用される部位に応じた形状に適宜成形されている。当然、外形寸法や板厚等にも特に制限はない。また、ボード１０の材料も特に限定されず、射出成形によって種々の形状へ容易に成形可能な合成樹脂製が好ましいが、木製、金属製、セラミックス製であってもよい。
【００１５】
そのうえで、ボード１０の裏面には係止爪１１が設けられている。係止爪１１は、図１，３に示すように、ボード１０の裏面から立設するように設けられており、逆レ字状ないし逆Ｊ字状を呈する。係止爪１１は、ボード１０の裏面側外周縁部へ複数個設けられている。詳しくは、ボード１０の裏面側外周縁部全体に亘って、該ボード１０の外周縁に沿って等間隔で複数個の係止爪１１が設けられている。本実施形態では、各係止爪１１の高さを、ボード１０の外周壁１０ａの高さよりも若干高く設計している。これにより、表皮２０の固定作業が楽になる。
【００１６】
表皮２０は、ボード１０の表面を全面的に覆うことができ、且つその外周縁部をボード１０の裏面側まで巻き込み可能な大きさに裁断されている。表皮２０の種類も特に限定されず、例えば織布、編布、メッシュ布、及びレザーなどを使用できる。
【００１７】
そのうえで、表皮２０の外周縁には、両端が開口する中空な袋状の袋状部２０ａが形成されており、その内部に係止部材２１が配されている。袋状部２０ａは、表皮２０の原反（仕上げ前の布）の外周縁部を所定量折り返して縫製することで形成することもできるし、予め作成しておいた中空筒状の布を表皮２０の原反の外周縁へ縫着することで形成することもできる。袋状部２０ａは表皮２０の外周縁全体に亘って形成されており、ボード１０の係止爪１１に臨む部位には切欠２２が形成されている。
【００１８】
本実施形態では、係止部材２１として棒状部材を使用している。係止部材２１の長さは表皮２０の袋状部２０ａの長さとほぼ同じであり、係止部材２１の直径は袋状部２０ａの内径とほぼ同じである。当該係止部材２１は、袋状部２０ａの開口から挿通することで袋状部２０ａ内へ配すことができる。また、係止部材２１の材料としては、ボード１０の係止爪１１と係合状態を保持できる程度の剛性を有するものであれば特に限定されず、合成樹脂、金属、木材、又はセラミックス等を使用できる。
【００１９】
次に、ボード１０の表面を表皮２０によって覆う手順について説明する。先ず、図１に示すように、表皮２０とボード１０の中心を合わせた上で、ボード１０の表面へ表皮２０で覆うようにあてがう。この状態から、表皮２０の外周縁部をさらにボード１０の外方から裏面側へ巻き込み、図２，３に示すように、各辺の係止部材２１を各係止爪１１へ順次係合させるだけで完成である。このように、係止部材２１を係止爪１１へ係合させるだけで、熟練者でなくても容易に表皮２０を固定することができる。このとき、各係止部材２１から表皮２０へ四方から均等に張力が作用するので、容易に皺が寄ることなく綺麗に表皮２０を配すことができる。また、袋状部２０ａの各係止爪１１に臨む部位に切欠２２を設けていることで、各係止爪１１と係止部材２１とが直接係合するので、表皮２０を確り固定することができる。
【００２０】
以上、本発明の代表的な実施形態について説明したが、これに限られることはなく、本発明の要旨を逸脱しない範囲で、種々の変更が可能である。例えば、袋状部は表皮の外周縁全体に亘って設けるのみならず、短寸な袋状部を複数個設けることもできる。この場合、各袋状部は等間隔で設けることが好ましい。袋状部は、表皮の全辺に設けることが好ましいが、少なくとも対向する二辺に設けていれば、全ての辺に設けなくてもよい。また、係止部材も、必ずしも袋状部とほぼ同じ長さの長尺な棒状部材とする必要はなく、袋状部内へ収容可能で、且つ係止爪と係合可能な形状寸法である限り、短寸な棒状ないしブロック状や、切欠から露出するフック形状とすることもできる。この場合、筒状の袋状部内へは複数個の係止部材を収容することになる。
【００２１】
係止爪の設置個数も、図面に示すような間隔で設ける必要はなく、多数個の係止爪を密に並設してもよいし、少数個の係止爪を広い間隔をあけて設けることもできる。係止爪の最小個数は、必要とする辺に対して１個である。また、切欠も、必ずしも設ける必要は無い。
【符号の説明】
【００２２】
１  ボード部材
１０  ボード
１１  係止爪
２０  表皮
２０ａ  袋状部
２１  係止部材
２２  切欠
【図１】
2015105699.tif 000003
【図２】
2015105699.tif 000004
【図３】
2015105699.tif 000005